(57)【特許請求の範囲】
【請求項１】
犬の前半身の胸部、背中部および腹部を覆い腹部側で重ね合わされる上衣と、
犬の後半身の背中部および尻部を覆う下衣と、
犬の頭頂部、耳部、喉部および後頭部を覆い前記上衣に固着または着脱自在に係着される頭カバー部と、
犬の尻尾を被包し前記下衣の尻尾側に固着または着脱自在に係着される尻尾カバー部と、
犬の肢部を被包し前記上衣および前記下衣に固着される４つの肢カバー部と、からなり、
前記上衣は前記下衣を外側から覆うとともに該下衣はサスペンダーにより犬の前半身から吊り下げられ、
前記上衣および前記下衣には前記肢カバー部内に連通する肢挿入孔が貫設され、
前記頭カバー部の頭頂部は前方に突出する鍔部を具え、該鍔部にはその形状を保持する曲折自在の芯棒が前後方向および／または該鍔部外周に沿って内挿され、該頭カバー部の後頭部は犬の尻尾側に延伸して前記上衣の犬の頭部側に重置され、
前記上衣の重ね合わせ部分は雌雄一対の係着具を介して着脱自在に係着され、前記下衣の腹部側は重ね合わされることなく犬の大便排出部に対面する位置から前端部までスリット状の間隙が形成されて前記サスペンダーの端部は該スリット状の間隙際に固着および／または着脱自在に係着される、ことを特徴とするセパレート型犬用レインコート。
【請求項２】
前記頭カバー部の後頭部は前記上衣に固着されるとともに、該頭カバー部の喉部は該上衣に着脱自在に係着される、ことを特徴とする請求項１に記載のセパレート型犬用レインコート。
【請求項３】
前記頭カバー部の後頭部および喉部は前記上衣に着脱自在に係着されるとともに該頭カバー部の喉部は係着自在に重ね合わされている、ことを特徴とする請求項１に記載のセパレート型犬用レインコート。
【請求項４】
前記頭カバー部は前記上衣に固着され、該上衣の重ね合わせ部分は該頭カバー部の喉部まで延伸して雌雄一対の係着具を介して着脱自在に係着される、ことを特徴とする請求項１に記載のセパレート型犬用レインコート。
【請求項５】
一対の前記サスペンダーの両端はそれぞれ前記下衣の腹部側の前端部および背中部側の前端部に固着および／または着脱自在に係着され、一対の該サスペンダーは少なくとも腹部側で交差して犬の前肢の付け根部を捲回する、ことを特徴とする請求項１ないし請求項４のいずれかに記載のセパレート型犬用レインコート。
【請求項６】
一本の前記サスペンダーの両端は前記下衣の腹部側の前端部に固着および／または着脱自在に係着され、腹部側で交差して犬の後頭部を捲回する、ことを特徴とする請求項１ないし請求項４のいずれかに記載のセパレート型犬用レインコート。
【請求項７】
前記サスペンダーは犬の首部を捲回する首輪と該首輪および前記下衣の前端部を連結する少なくとも腹部側の一対の連結帯とからなり、該腹部側の一対の連結帯は交差している、ことを特徴とする請求項１ないし請求項４のいずれかに記載のセパレート型犬用レインコート。
【請求項８】
前記肢カバー部は犬の爪先を除く肢部を覆い、前記上衣および前記下衣の固着部から下端部まで一重または二重となっていて、該肢カバー部の犬の足首に対置する位置には犬の肢部を締め付ける着脱自在の肢部ベルトが捲回される、ことを特徴とする請求項１ないし請求項７のいずれかに記載のセパレート型犬用レインコート。
【発明の詳細な説明】
【技術分野】
【０００１】
本発明は、降水の中で犬を散歩させるときに着装させる犬用レインコートに関する。
【背景技術】
【０００２】
犬には、適度の運動、生理現象の処理等のために毎日の散歩が必要とされているが、この散歩は、一定時間、一定距離を歩かせたり、走らせたりして屋外で行われる。
ところが、降水時の散歩では、犬の体が濡れたり、跳ねた泥が体に付着したりするため、その都度手入れが必要となるばかりでなく、濡れることによって発病の原因となるおそれもある。
【０００３】
降水から犬の体の濡れを防ぐものとして犬用のレインコートがあるが、本願出願人は先にこれに関する発明をし、その発明は特許第４１５３５５４号公報および特許第４４２８５８３号公報に開示されている。
【先行技術文献】
【特許文献】
【０００４】
【特許文献１】特許第４１５３５５４号公報
【特許文献２】特許第４４２８５８３号公報
【０００５】
特許文献１に開示の「犬用レインコート」は、「毛足の長い犬や濡れることを嫌うような犬に適し、散歩後の犬の毛の手入れが簡単になるような犬用レインコートを提供する」ことを課題とし、その課題を解決するために「犬の胸部、腹部および背中部を覆い該背中部側または該腹部側で開閉自在に係着される胴体カバー部と、該犬の頭部を覆い該胴体カバー部の胸部に対置する箇所で固着される頭カバー部と、犬の尻尾を上部から覆い該胴体カバー部の尻尾側に固着される尻尾カバー部と、犬の四肢の爪先を含めた肢部全体を覆い該胴体カバー部に固着される４つの肢カバー部と、からなり、該頭カバー部の頭頂部には犬の目よりも前方に突出する鍔部を具え該鍔部には折り曲げられたときにその状態を保持する曲折自在の芯棒が前後方向に沿って内挿され、頭カバー部の首筋部分のカバーは尻尾側に延伸して該胴体カバー部の頭部側に着脱自在に重置される、または固着される」構成としている。
【０００６】
特許文献２に開示の「犬用レインコート」は、「毛の長い犬に適した犬用レインコートであって、尻尾カバー部が捲られることなく、また、胴体カバー部の係着部分に毛足の長い犬の毛が挟まれてしまうことなく、着用に苦労することのない、犬用のレインコートを提供する」ことを課題とし、その課題を解決するために「犬の胸部、腹部および背中部を覆い該背中部側で開閉自在に重ね合わされて係着される胴体カバー部と、犬の頭部を覆い該胴体カバー部の胸部に固着される頭カバー部と、犬の尻尾全体を被包し、背中部側で開閉自在に重ね合わされて係着される尻尾カバー部と、犬の四肢の爪先を含めた肢部全体を覆い該胴体カバー部に固着される肢カバー部と、からなり、該胴体カバー部の犬の胸部のカバー部分は犬の首筋部から吊着する吊着帯を具え、該尻尾カバー部の先端部と該頭カバー部の犬の尻尾側とが着脱自在に係着される」構成としている。
【発明の概要】
【発明が解決しようとする課題】
【０００７】
しかしながら、特許文献１に開示の「犬用レインコート」は、尻尾カバー部の構成を、犬の排便を考慮して、尻尾の上部から覆うようにしているため、風などにより尻尾カバー部が捲られる場合があった。また、胴体カバー部の係着部分に毛足の長い犬の毛が挟まれてしまう場合があった。さらには、このレインコートを着装させる際には、折角、肢カバー部に肢を挿入してもじっとしていない犬のために外れるなど、苦労させられる場合があった。
【０００８】
また、特許文献１および特許文献２に開示の「犬用レインコート」の上からハーネスを着装した場合には、犬の前半身の動きがハーネスにより拘束され、その拘束力が犬用レインコートを介して犬の後半身の動きも拘束されるおそれがあった。
【０００９】
そこで、本発明は、ハーネスを使用するような大型犬にも適した犬用レインコートであって、犬の後半身の動きが拘束されるおそれがなく、レインコートの係着部分に毛足の長い犬の毛が挟まれてしまう場合がなく、さらには、じっとしていない犬の場合であっても着装に苦労することのない、犬用のレインコートを提供することを目的とする。
【課題を解決するための手段】
【００１０】
上記目的を達成するため、本願請求項１に係るセパレート型犬用レインコートは、犬の前半身の胸部、背中部および腹部を覆い腹部側で重ね合わされる上衣と、犬の後半身の背中部および尻部を覆う下衣と、犬の頭頂部、耳部、喉部および後頭部を覆い前記上衣に固着または着脱自在に係着される頭カバー部と、犬の尻尾を被包し前記下衣の尻尾側に固着または着脱自在に係着される尻尾カバー部と、犬の肢部を被包し前記上衣および前記下衣に固着される４つの肢カバー部と、からなり、前記上衣は前記下衣を外側から覆うとともに該下衣はサスペンダーにより犬の前半身から吊り下げられ、前記上衣および前記下衣には前記肢カバー部内に連通する肢挿入孔が貫設され、前記頭カバー部の頭頂部は前方に突出する鍔部を具え、該鍔部にはその形状を保持する曲折自在の芯棒が前後方向および／または該鍔部外周に沿って内挿され、該頭カバー部の後頭部は犬の尻尾側に延伸して前記上衣の犬の頭部側に重置され、前記上衣の重ね合わせ部分は雌雄一対の係着具を介して着脱自在に係着され、前記下衣の腹部側は重ね合わされることなく犬の大便排出部に対面する位置から前端部までスリット状の間隙が形成されて前記サスペンダーの端部は該スリット状の間隙際に固着および／または着脱自在に係着される、ことを特徴としている。
なお、本明細書において、「前」、「後」の概念、および「右」、「左」の概念は、本発明に係るセパレート型犬用レインコートを犬に着装させたとき状態をいい、たとえば、「前」とは、セパレート型犬用レインコートの頭部側をいう。そして、「吊り下げられる」とは、仮に犬が２本足で立ち上がったとした場合に、その状態における概念である。
また、本願請求項２に係るセパレート型犬用レインコートは、請求項１に記載のセパレート型犬用レインコートであって、前記頭カバー部の後頭部は前記上衣に固着されるとともに、該頭カバー部の喉部は該上衣に着脱自在に係着される、ことを特徴している。
そして、本願請求項３に係るセパレート型犬用レインコートは、請求項１に記載のセパレート型犬用レインコートであって、前記頭カバー部の後頭部および喉部は前記上衣に着脱自在に係着されるとともに該頭カバー部の喉部は係着自在に重ね合わされている、ことを特徴としている。
さらに、本願請求項４に係るセパレート型犬用レインコートは、請求項１に記載のセパレート型犬用レインコートであって、前記頭カバー部は前記上衣に固着され、該上衣の重ね合わせ部分は該頭カバー部の喉部まで延伸して雌雄一対の係着具を介して着脱自在に係着される、ことを特徴としている。
また、本願請求項５に係るセパレート型犬用レインコートは、請求項１ないし請求項４のいずれかに記載のセパレート型犬用レインコートであって、一対の前記サスペンダーの両端はそれぞれ前記下衣の腹部側の前端部および背中部側の前端部に固着および／または着脱自在に係着され、一対の該サスペンダーは少なくとも腹部側で交差して犬の前肢の付け根部を捲回する、ことを特徴としている。
そして、本願請求項６に係るセパレート型犬用レインコートは、請求項１ないし請求項４のいずれかに記載のセパレート型犬用レインコートであって、一本の前記サスペンダーの両端は前記下衣の腹部側の前端部に固着および／または着脱自在に係着され、腹部側で交差して犬の後頭部を捲回する、ことを特徴としている。
さらに、本願請求項７に係るセパレート型犬用レインコートは、請求項１ないし請求項４のいずれかに記載のセパレート型犬用レインコートであって、前記サスペンダーは犬の首部を捲回する首輪と該首輪および前記下衣の前端部を連結する少なくとも腹部側の一対の連結帯とからなり、該腹部側の一対の連結帯は交差している、ことを特徴としている。
また、本願請求項８に係るセパレート型犬用レインコートは、請求項１ないし請求項７のいずれかに記載のセパレート型犬用レインコートであって、前記肢カバー部は犬の爪先を除く肢部を覆い、前記上衣および前記下衣の固着部から下端部まで一重または二重となっていて、該肢カバー部の犬の足首に対置する位置には犬の肢部を締め付ける着脱自在の肢部ベルトが捲回される、ことを特徴としている。
【発明の効果】
【００１１】
本願請求項１ないし請求項９に係る発明は、上記構成により以下の効果を奏する。
（１）本発明は犬の前半身を覆う上衣と犬の後半身を覆う下衣とから構成されていて、上衣は下衣を外側から覆うとともに下衣は犬の前半身からサスペンダーにより吊り下げられているため、上衣の上からハーネスを着装した場合に犬の前半身の動きがハーネスにより拘束されたとしても、その拘束力はサスペンダーあるいは連結帯により吸収されて下衣に伝達されることはなく、犬の後半身の動きが拘束されない。
（２）上衣の係着部分は重ね合わされているので、毛の長い犬であってもその毛が係着部分に絡まることがない。
（３）下衣の腹部側は重ね合わされることなく犬の大便排出部に対面する位置から前端部までスリット状に間隙が形成されているため、大小便排出時には尻尾カバー部を犬の尻尾ごと捲りあげることにより、犬用レインコート自体を排出物で汚すおそれがない。
（４）頭カバー部の頭頂部は犬の前方に突出する鍔部を具えていて、鍔部にはその形状を保持する曲折自在の芯棒が前後方向および／または該鍔部外周に沿って内挿されているので、カバーされていない犬の鼻の上部であっても、濡れ難くなるとともに、鍔部が犬の目の前に垂れ下がり視界を妨げることはない。
（５）下衣の腹部側の前端部に固着および／またはおよび／または着脱自在に係着されるサスペンダーが腹部側で交差しているため、下衣のスリットを形成する縁部は互いに相手方向に付勢されて下衣の前端部が犬の体に密着する。
（６）肢カバー部を二重とした場合には、消耗の激しい肢カバー部の耐久性が向上する。
【図面の簡単な説明】
【００１２】
【図１】図１は、実施例１および実施例２に係るセパレート型犬用レインコートの着装状態を示す側面図である。
【図２】図２は、実施例１に係るセパレート型犬用レインコートの上衣および下衣の展開図であり、図２（ａ）は上衣の展開図、図２（ｂ）は下衣の展開図、である。
【図３】図３は、実施例１に係るセパレート型犬用レインコートの頭カバー部、肢カバー部および尻尾カバー部の展開図であり、図３（ａ）は頭カバー部の展開図、図３（ｂ）は肢カバー部の展開図、図３（ｃ）は尻尾カバー部の展開図、である。
【図４】図４は、実施例２に係るセパレート型犬用レインコートの上衣および下衣の展開図であり、図４（ａ）は上衣の展開図、図４（ｂ）は下衣の展開図、である。
【図５】図５は、実施例２に係るセパレート型犬用レインコートの頭カバー部、肢カバー部および尻尾カバー部の展開図であり、図５（ａ）は頭カバー部の展開図、図５（ｂ）は肢カバー部の展開図、図５（ｃ）は尻尾カバー部の展開図、である。
【発明を実施するための形態】
【００１３】
以下、本願発明を実施するための形態に係る実施例１および実施例２について、図１ないし図５に基づいて説明するが、以下の説明で、「上」、「下」、「左」、「右」とは、図２ないし図５における図面の各方向をいう。また、図２ないし図５においては、図３（ａ）の下図および図５（ａ）の下図を除く各展開図の裏面が犬の身体に接する側となっている。
【００１４】
なお、図１ないし図５において、符号１は実施例１に係るセパレート型犬用レインコート、符号２は実施例２に係るセパレート型犬用レインコート、符号１０ａは実施例１に係る上衣、符号１０ｂは実施例２に係る上衣（なお、実施例１および実施例２に係る上衣を総称する場合は符号１０とする。）、符号１１は上衣本体、符号１１１は背中部布、符号１１２は腹部布、符号１１３は重ね合わせ部、符号１１４は重ね合わせ部係着線ファスナー、符号１１５は重ね合わせ部係着ホック、符号１１６は上衣・頭カバー係着ホック、符号１２は前肢挿通孔、符号１３は上衣・下衣係着面ファスナー、符号１４は上衣前縁部ギャザー、符号２０ａは実施例１に係る下衣、符号２０ｂは実施例１に係る下衣（なお、実施例１および実施例２に係る下衣を総称する場合は符号２０とする。）、符号２１は下衣本体、符号２１１は背中部布、符号２１２は尻部布、符号２２は後肢挿通孔、符号２４はサスペンダー、符号２４１はサスペンダー側のサスペンダー係着ホック、符号２４２は下衣本体側のサスペンダー係着ホック、符号２５は上衣・下衣係着面ファスナー、符号２６は下衣前縁部ギャザー、符号２７は下衣・尻尾カバー係着面ファスナー、符号２８は下衣・尻尾カバー仮止め面ファスナー、符号３０ａは実施例１に係る尻尾カバー部、符号３０ｂは実施例２に係る尻尾カバー部（なお、実施例１および実施例２に係る尻尾カバー部を総称する場合は符号３０とする。）、符号３１は尻尾カバー本体、符号３２は下衣・尻尾カバー係着面ファスナー、符号３３は下衣・尻尾カバー仮止め面ファスナー、符号４０ａは実施例１に係る頭カバー部、符号４０ｂは実施例２に係る頭カバー部（なお、実施例１および実施例２に係る頭カバー部を総称する場合は符号４０とする。）、符号４１は鍔部、符号４２は芯棒、符号４３は頭頂部布、符号４４は後頭部布、符号４５は耳部布、符号４６は口部布、符号４６１は口部係着線ファスナー、符号４７はリード紐挿通口、符号４８は上衣・頭カバー係着ホック、符号４９は口周り紐、符号５０は肢カバー部、符号５１は肢カバー部本体、符号５２は肢部ベルト、である。
そして、図２および図３において、点線部分に付した符号ア、イ、ウ、エ、オ、カ、キ、ク、ケ、コ、サ、シ、ス、セ、ソ、タ、チは各縫着箇所を示している。また、図３（ａ）および図５（ａ）において一点鎖線は山折り線を示し、長破線は谷折り線を示している。
【実施例１】
【００１５】
まず、実施例１に係るセパレート型犬用レインコート１について、図１ないし図３を基に説明する。
セパレート型犬用レインコート１は、上衣１０ａ、下衣２０ａ、尻尾カバー部３０ａ、頭カバー部４０ａ、４本の肢カバー部５０から構成されていて、所定の箇所が縫着されることにより形成されている。
【００１６】
１枚の布が型抜きされた上衣１０ａの上衣本体１１は略矩形を呈し、その上辺中央部は半円状に切り取られていて、切り取られた円弧部分は犬の喉部に当接する。そして、円弧部分の両側も楕円状に切り取られて前肢挿通孔１２、１２が形成され、前肢挿通孔１２、１２間が背中部布１１１となっている。さらに、前肢挿通孔１２の上部は外側に向けて拡大するように切り取られていて、切り取られた両サイドの辺同士（符号アとア、符号イとイ）が縫着されて上衣１０ａが立体的に形成される。また、前肢挿通孔１２、１２の外側に位置する左辺の表側および右辺の裏側には縦方向に重ね合わせ部係着線ファスナー１１４が添着され、左辺の重ね合わせ部係着線ファスナー１１４の外側に重ね合わせ部１１３が形成されて、重ね合わせ部係着線ファスナー１１４、１１４同士が係着されるようになっている。そして、前肢挿通孔１２と重ね合わせ部係着線ファスナー１１４間の縁部はギャザー加工が施されて上衣前縁部ギャザー１４、１４が形成され、縮む方向に付勢されている。
【００１７】
また、左辺の重ね合わせ部係着線ファスナー１１４の外側下方には重ね合わせ部係着ホック１１５が固着され、右辺の重ね合わせ部係着線ファスナー１１４の内側下方には重ね合わせ部係着ホック１１５が固着されていて、重ね合わせ部係着ホック１１５、１１５同士が係着されるようになっている。そして、右辺の重ね合わせ部係着線ファスナー１１４の内側上方には上衣・頭カバー係着ホック１１６が固着されていて、後述する頭カバー部４０ａの上衣・頭カバー係着ホック４８と着脱自在に係着されるようになっている。
【００１８】
また、背中部布１１１は略矩形状に下方に延伸していて、その両サイドの裏面には細長の縦方向に長い上衣・下衣係着面ファスナー１３、１３が固着されていて、後述する下衣２０ａの上衣・下衣係着面ファスナー２５、２５と係着されるようになっている。
【００１９】
下衣２０ａは下衣本体２１と一対のサスペンダー２４、２４とから構成されている。下衣本体２１は略矩形を呈し、左右辺の中央部は円弧状に切り取られていて、中央部が括れた形状となっている。そして、帯状のサスペンダー２４、２４の一端はそれぞれ下衣本体２１の上辺の左右端に固着されていて、他端には複数個のホック（図２（ｂ）では３個）からなるサスペンダー係着ホック２４１が固着されている。なお、犬の大便排出部に対面する位置から下衣２０ａの前端部までのスリット状の間隙は下衣本体２１の左辺と右辺により形成される。
【００２０】
下衣本体２１の上部中央には前述のサスペンダー係着ホック２４１に対応するようにハの字状に複数個のホック（図２（ｂ）では３個）からなる２つのサスペンダー係着ホック２４２、２４２が固着されていて、サスペンダー係着ホック２４１およびサスペンダー係着ホック２４２が係着されるようになっている。そして、下衣本体２１の上辺の左右の縁部はギャザー加工が施されて下衣前縁部ギャザー２６、２６が形成され、縮む方向に付勢されている。
【００２１】
下衣本体２１の上下方向の中央部には横方向に細長い一対の上衣・下衣係着面ファスナー２５、２５が固着されている。前述したように、上衣・下衣係着面ファスナー１３と上衣・下衣係着面ファスナー２５とが係着されるようになっているが、上衣・下衣係着面ファスナー１３は縦方向に細長く、上衣・下衣係着面ファスナー２５は横方向に細長く構成されているため、上衣１０ａと下衣２０ａとの重ね合わせ長さを犬の寸法に合わせて上衣・下衣係着面ファスナー１３の長さ分だけ自由に調整することができる。そして、上衣・下衣係着面ファスナー２５、２５の下方にあって横方向の中央部には下衣・尻尾カバー仮止め面ファスナー２８が固着されている。
【００２２】
下衣本体２１の下辺近傍の左右端には円状に切り取られて後肢挿通孔２２、２２が形成され、後肢挿通孔２２、２２間が尻部布２１２となっている。
【００２３】
なお、サスペンダー２４を１本とし、その一端を下衣本体２１の上辺の左右端のいずれかに固着し、腹部側で交差して犬の首部を捲回した後にその他端を下衣本体２１の上辺の左右端の残りの一端に係着するようにしても良いし、サスペンダー２４を犬の首部を捲回する首輪とこの首輪および下衣本体２１の前端部を連結する少なくとも腹部側の一対の連結帯とから構成するようにしても良い。
【００２４】
尻尾カバー部３０ａを構成する尻尾カバー本体３１は下に凸の半円状であって、尻尾カバー本体３１の下部には下衣・尻尾カバー仮止め面ファスナー３３が固着され、前述した下衣・尻尾カバー仮止め面ファスナー２８と係着するようになっている。そして、尻尾カバー本体３１の曲線状の辺同士（符号ソとソ）を縫着することにより袋状となって尻尾カバー部３０ａが形成される。なお、曲線状の辺同士の上部は縫着しないことにより、大小便排出のためのスリット状間隙の一端を形成する。
そして、尻尾カバー本体３１の上辺と下衣本体２１の下辺同士（符号クとク）を縫着することにより、下衣２０ａと尻尾カバー部３０ａは一体となる。なお、後述する実施例２のように、尻尾カバー本体３１の上辺と下衣本体２１の下辺同士を縫着せずに着脱自在に係着するようにしても良い
【００２５】
頭カバー部４０ａは、頭頂部布４３、後頭部布４４、耳部布４５、４５、および口部布４６の布片から構成されていて、頭頂部布４３および後頭部布４４は上辺が外側に向けて湾曲し上部に向けて広がる略台形状を呈していて、耳部布４５、４５および口部布４６は門型形状となっている。そして、略台形状の布片を左右方向の山折り線に沿って略直角に折り曲げることにより、頭頂部布４３および後頭部布４４が区分される。また、頭頂部布４３の湾曲している上辺は鍔部４１となっていて鍔部４１の縁に沿って芯棒４２が内挿されていて、この芯棒４２には合成樹脂製の形状保持芯が使用されている。なお、芯棒４２を縦方向に内挿しても良い。そして、後頭部布４４の下部は横長にコの字状に切断されてリード紐挿通孔４７が形成されている。
【００２６】
門型の布片の左右に位置する耳部布４５、４５は略矩形であり、口部布４６は耳部布４５、４５を連結している略矩形であって、下辺の左右端は円弧状に切り取られている。そして、頭頂部布４３の左右辺（符号ケ、サの部分）に耳部布４５の上辺（符号ケ、サの部分）がそれぞれ縫着され、後頭部布４４の左右辺（符号コ、シの部分）に耳部布４５の左辺および右辺（符号コ、シの部分）がそれぞれ縫着されて、頭カバー部４０ａが立体的に形成される。このように頭カバー部４０ａを構成する各布が互いに縫着されることにより、頭頂部布４３が図２の表側方向に湾曲して鍔部４１が形成されるとともに、頭カバー部４０ａは、図面の裏側方向の頭頂部布４３および口部布４６の上辺の間の部分が開放された袋状に形成される。そして、後頭部布４４の下辺（符号ウの部分）が上衣１０ａの符号ウの部分と縫着されることにより、頭カバー部４０ａは上衣１０ａに対し回動自在に固着される。また、口部布４６の上辺および口部布４６の上辺に続く耳部布４５、４５の内側の辺には口周り紐４９が内挿されていて、頭カバー部４０ａを犬に着装させた後、口周り紐４９を引き出すようにすると頭カバー部４０ａが犬の口周りに密着する。
【００２７】
肢カバー部５０は、縦長の下に向かってその幅が徐々に狭まった略台形の肢カバー部本体５１とその両端部に面ファスナー縫着されている帯状の肢部ベルト５２とから構成されていて、肢カバー部本体５１の左辺と右辺（符号スの部分）が縫着されて略円筒状に形成され、肢部ベルト５２が肢カバー部本体５１の下方に縫着されて（符号セの部分）肢カバー部５０が形成される。そして、肢カバー部本体５１の上辺（符号エ、オの部分）が上衣１０ａの前肢挿通孔１２の周縁部（符号エ、オの部分）に縫着されて前肢用肢カバー部５０となり、肢カバー部本体５１の上辺（符号カ、キの部分）が上衣１０ａの後肢挿通孔２２の周縁部（符号カ、キの部分）に縫着されて後肢用肢カバー部５０となる。
なお、肢カバー部５０を大型犬に使用する場合には、肢カバー部本体５１をその下端部で折り返して二重とすれば耐久性が良くなり、上衣や下衣と同一の材料で形成することができる。
【００２８】
上述のようにしてセパレート型犬用レインコート１は形成されるが、形成部材の固着方法としては、実施例に示す縫着以外の糊着、融着、溶着であっても良いことは勿論である。
【００２９】
つぎに、セパレート型犬用レインコート１の着装手順例について説明する。着装手順例は以下の通りである。
（１）下衣２０ａの後肢挿通孔２２に連通する肢カバー部５０、５０に犬の後肢を挿入するとともに尻尾カバー部５０に犬の尻尾を挿入して、下衣２０ａを犬の背中部から腹部を包み込むようにする。さらに、肢部ベルト５２を肢カバー部５０に捲回して係着する。
（２）一対のサスペンダー２４、２４を犬の腹部で交差させて犬の前肢の付け根を捲回するようにその先端を犬の背中部に持って行き、さらに、犬の背中部で交差させてサスペンダー係着ホック２４１を下衣本体２１側のサスペンダー係着ホック２４２に係着させる。この係着と下衣前縁部ギャザー２６の働きにより下衣２０ａは犬の後半身に密着する。なお、実施例では一対のサスペンダー２４、２４を犬の腹部で交差させ、さらに犬の背中部で交差させているが、犬の腹部側のみで交差させても良い。
（３）上衣１０ａの腹部の係着状態を解除して押し広げ、前肢挿通孔１２に連通する肢カバー部５０、５０に犬の前肢を挿入し、上衣１０ａを下衣２０ａの外側から重ね合わせ、上衣・下衣係着面ファスナー１３、１３に下衣２０ａの上衣・下衣係着面ファスナー２５、２５を係着させる。そして、犬の腹部側で重ね合わせ部１１３を互いに重ね合わせて重ね合わせ部係着ホック１１５同士を係着させるとともに、重ね合わせ部係着線ファスナー１１４同士も係着させる。さらに、肢部ベルト５２を肢カバー部５０に捲回して係着する。
（４）犬の背中部にある頭カバー部４０ａを犬の頭部を押し込むようにして回動させ、上衣・頭カバー係着ホック４８を上衣１０ａにある上衣・頭カバー係着ホック１１６に係着させる。そして、必要に応じて、犬の視界を妨げないように頭カバー部４０ａの鍔部４１の形を整え、口周り紐４９を引き出すようにする。
（５）なお、犬にリード紐を使用する場合には、リード紐をリード紐挿通口４７から挿入して犬の首輪に連結すれば良い。また、セパレート型犬用レインコート１の上からハーネスを使用する場合には、ハーネスを上衣１０ａにのみ掛かるようにする。
【００３０】
この着装手順により、セパレート型犬用レインコート１は犬が激しい動きをしてもその動きに上衣１０ａおよび下衣２０ａが互いに独立して追随し、その位置がずれることがなくなる。なお、上記手順を逆に行うことにより、セパレート型犬用レインコート１を犬から脱がせることができる。
また、犬がセパレート型犬用レインコート１を着装中に便意を催した場合には、図１の一点鎖線で示すように尻尾カバー部３０ａの先端の下衣・尻尾カバー仮止め面ファスナー３３と下衣２０ａの下衣・尻尾カバー仮止め面ファスナー２８同士を係着させると、犬の大小便排出部が剥き出しになり、セパレート型犬用レインコート１を汚すことなく犬が用を足すことができる。
【実施例２】
【００３１】
つぎに、実施例２に係るセパレート型犬用レインコート２について、図１、図４および図５を基に説明するが、セパレート型犬用レインコート２は前述したセパレート型犬用レインコート１とほぼ同様の構成であるので、主に、異なる形状や構成について説明する。
【００３２】
セパレート型犬用レインコート２は、上衣１０ｂ、下衣２０ｂ、尻尾カバー部３０ｂ、頭カバー部４０ｂ、４本の肢カバー部５０から構成されていて、所定の箇所が縫着されることにより形成されている。
【００３３】
上衣１０ｂの上衣本体１１の形状と上衣１０ａの上衣本体１１の形状とは同一であるが、上衣１０ｂが上衣１０ａと異なる構成が１箇所あって、それは上衣本体１１の上辺の左右端に逢着箇所が形成されている（符号タとチ）点にある。この逢着箇所と後述する頭カバー部４０ｂの逢着箇所（符号タとチ）が逢着されることにより、上衣１０ｂと頭カバー部４０ｂとは固着されて一体となる。なお、上衣１０ｂと頭カバー部４０ｂとが固着されるため、上衣・頭カバー係着ホック１１６はない。それ以外は上衣１０ａと同一構成であるので、その説明を省略する。
【００３４】
下衣２０ｂは下衣本体２１と一対のサスペンダー２４、２４とから構成されている。下衣２０ｂの下衣本体２１およびサスペンダー２４の形状と下衣２０ａの下衣本体２１およびサスペンダー２４の形状とは同一であるが、異なるところは下衣２０ｂの下衣本体２１の下辺に沿って下衣・尻尾カバー係着面ファスナー２７が形成されている点にある。この下衣・尻尾カバー係着面ファスナー２７により後述する尻尾カバー部３０ｂと下衣２０ｂとが着脱自在に係着される。
【００３５】
尻尾カバー部３０ｂは尻尾カバー部３０ａと同一形状であり、異なるところは尻尾カバー部３０ｂの上辺に沿って逢着箇所（符号ク）が形成されずに下衣・尻尾カバー係着面ファスナー３２が形成されている点にある。この下衣・尻尾カバー係着面ファスナー３２が前述した下衣・尻尾カバー係着面ファスナー２７と係着されて、尻尾カバー部３０ｂと下衣２０ｂとが着脱自在となる。
【００３６】
頭カバー部４０ｂは、頭頂部布４３、後頭部布４４、耳部布４５、４５、および口部布４６の布片から構成されていて、頭頂部布４３および後頭部布４４は頭カバー部４０ａと同一構成である。頭カバー部４０ｂでは口部布４６が二分割されて、それぞれが耳部布４５と口部布４６の布片によりＬ字状（あるいは逆Ｌ字状）に形成されている。そして、互いに向き合う口部布４６の辺縁および辺縁近傍に沿って、それぞれ口部係着線ファスナー４６１が取着されて口部係着線ファスナー４６１同士が係着されるようになっていて、右側の口部係着線ファスナー４６１の内側は口部布４６、４６同士の重ね合わせ部が形成される。
【００３７】
そして、後頭部布４４の下辺（符号ウの部分）が上衣１０ｂの符号ウの部分と縫着され、Ｌ字状に形成された口部布４６の下辺（符号タおよびチの部分）と上衣１０ｂの符号タおよび符号チの部分とが逢着されて、頭カバー部４０ｂは上衣１０ｂに固着される。さらに、上衣１０ｂの重ね合わせ部係着線ファスナー１１４、１１４が口部係着線ファスナー４６１、４６１と一体となって、上衣１０ｂの重ね合わせ部の係着部分が頭カバー部４０ｂの口部布４６まで延伸している。
なお、その他については、頭カバー部４０ｂと頭カバー部４０ａとは同一構成であるので、その説明を省略する。
【００３８】
肢カバー部５０については、実施例１と同一であるので、その説明を省略する。
【００３９】
上述のようにしてセパレート型犬用レインコート２は形成されるが、形成部材の固着方法としては、実施例１と同様、縫着以外の糊着、融着、溶着であっても良いことは勿論である。
【００４０】
つぎに、セパレート型犬用レインコート２の着装手順例について説明する。着装手順例は以下の通りである。
（１）下衣２０ｂおよび一対のサスペンダー２４、２４については、セパレート型犬用レインコート１の着装手順例と同様である（段落〔００２９〕の（１）（２）参照）。
（２）上衣１０ｂの腹部の係着状態および頭カバー部４０ｂの口部の係着状態を解除して押し広げ、前肢挿通孔１２に連通する肢カバー部５０、５０に犬の前肢を挿入するとともに犬の頭部を頭カバー部４０ｂ内に挿入する。そして、上衣１０ｂを下衣２０ｂの外側から重ね合わせ、上衣・下衣係着面ファスナー１３、１３に下衣２０ｂの上衣・下衣係着面ファスナー２５、２５を係着させる。さらに、犬の腹部側で重ね合わせ部１１３を互いに重ね合わせて重ね合わせ部係着ホック１１５同士を係着させるとともに、口部係着線ファスナー４６１、４６１同士および重ね合わせ部係着線ファスナー１１４、１１４同士も係着させる。そして、肢部ベルト５２を肢カバー部５０に捲回して係着する。また、必要に応じて、犬の視界を妨げないように頭カバー部４０ａの鍔部４１の形を整え、口周り紐４９を引き出して犬の口周りに頭カバー部４０ｂを密着させるようにする。
（３）なお、実施例１と同様、犬にリード紐を使用する場合には、リード紐をリード紐挿通口４７から挿入して犬の首輪に連結すれば良い。また、セパレート型犬用レインコート２の上からハーネスを使用する場合には、ハーネスを上衣１０ｂにのみ掛かるようにする。
この着装手順により、セパレート型犬用レインコート２は犬が激しい動きをしてもその動きに上衣１０ｂおよび下衣２０ｂが互いに独立して追随し、その位置がずれることがなくなる。
【００４１】
なお、上記手順を逆に行うことにより、セパレート型犬用レインコート１を犬から脱がせることができる。
【符号の説明】
【００４２】
１  実施例に係るセパレート型犬用レインコート
２  実施例２に係るセパレート型犬用レインコート
１０  上衣
１０ａ  実施例１に係る上衣
１０ｂ  実施例２に係る上衣
１１  上衣本体
１１３  重ね合わせ部
１１４  重ね合わせ部係着線ファスナー
１１６  上衣・頭カバー係着ホック
１２  前肢挿通孔
１３  上衣・下衣係着面ファスナー
２０  下衣
２０ａ  実施例１に係る下衣
２０ｂ  実施例２に係る下衣
２１  下衣本体
２２  後肢挿通孔
２４  サスペンダー
２４１  サスペンダー側のサスペンダー係着ホック
２４２  下衣本体側のサスペンダー係着ホック
２５  上衣・下衣係着面ファスナー
２７  下衣・尻尾カバー係着面ファスナー
２８  下衣・尻尾カバー仮止め面ファスナー
３０  尻尾カバー部
３０ａ  実施例１に係る尻尾カバー部
３０ｂ  実施例２に係る尻尾カバー部
３１  尻尾カバー本体
３２  下衣・尻尾カバー係着面ファスナー
３３  下衣・尻尾カバー仮止め面ファスナー
４０  頭カバー部
４０ａ  実施例１に係る頭カバー部
４０ｂ  実施例２に係る頭カバー部
４１  鍔部
４２  芯棒
４６１  口部係着線ファスナー
４７  リード紐挿通口
４８  上衣・頭カバー係着ホック
４９  口周り紐
５０  肢カバー部
５２  肢部ベルト
【要約】
【課題】ハーネスを使用するような大型犬にも適した犬用レインコートであって、犬の後半身の動きが拘束されるおそれがなく、レインコートの係着部分に毛足の長い犬の毛が挟まれてしまう場合がなく、さらには、じっとしていない犬の場合であっても着装に苦労することのない、犬用のレインコートを提供する。
【解決手段】犬の前半身を覆い腹部側で重ね合わされて係着される上衣と犬の後半身を覆い腹部側は重ね合わされることなくスリット状の間隙が形成される下衣と犬の頭部を覆う頭カバー部と犬の尻尾を被包する尻尾カバー部と犬の肢部を被包する４つの肢カバー部とからなり、前記上衣は前記下衣を外側から覆うとともに該下衣はサスペンダーにより犬の前半身から吊り下げられる構成とした。
【選択図】図１【図１】
0004685968.tif 000002
【図２】
0004685968.tif 000003
【図３】
0004685968.tif 000004
【図４】
0004685968.tif 000005
【図５】
0004685968.tif 000006